(57)【特許請求の範囲】
【請求項１】
３Ｈｚ乃至１５０ｋＨｚの超低音波と、２０ｋＨｚ乃至１５０ｋＨｚの超音波の音域を合成して編集することによって不定リズム化し、この編集したものをＣＤに録音し、これをパワーアンプを介して水中に発振するスピーカーと超音波発振器を併用した機能を具備し、動力船に曳行された潜水追い立て艇複数隻を外海に横一線に所定間隔をおいて配列させ、横一線を底辺とする三角形の頂点にあたる地点を最終ポイントとし、この最終ポイント付近に集魚音発振船と漁網船チームを待機させた後、外海から内海の最終ポイントに向かって潜水追い立て艇から前記超音波を発生させながら魚群を追い立て、最終ポイントの２ｋｍ〜３ｋｍ沖合から最終ポイントを徐々に包囲するように動力船の両端を先行させ、動力船全体を移動させながら包囲範囲を縮小し、最終的に円形状に包囲し、魚群が網漁に最適の深さに達したことを魚集音発振船がモニターで確認した時点で漁網船チームに合図し、各魚網船が網を打って魚をを捕獲することを特徴とする音響式追い立て漁法。
【発明の詳細な説明】
【０００１】
【発明の属する技術分野】
本発明は超低音波（地震、雷、山崩れ、大太鼓等）と超音波（イルカ、鯨等）を合成編集したものをＣＤに録音し、この録音したものを複数隻の潜水追い立て艇から発振させ、外海を回遊する魚群を追いつめて包囲し、待機している漁網船チームによって一挙に捕獲する漁法に関するものである。
【０００２】
【従来の技術】
従来、行なわれていてる漁法として、古くは複数の人が水に入って大きな輪を作り、木の枝葉や板で水面を叩きながら魚を追いつめて捕る漁法があった。
又、内海の数キロ沖から複数隻の小船が、それぞれ石等の錘を曳きずりながら木片等をヒラヒラさせ、横一線に並んだ小船が内海の中の一点に魚を追いつめる鯛網、大網、地曳網の漁法があった。
又、魚が来るのを待って獲る定地網漁、魚群探知機を使って獲る底引網漁等が広く行なわれていた。
【０００３】
【発明が解決しようとする課題】
しかし、このような漁法は過酷な労働に反して漁獲量は少なく収益も少ないので現在では殆ど行なわれていない。
又、外海は深く広いため前記の漁法では網が届かない大海原であるため潮流も速く、小型の船では操業が困難であるばかりでなく大型船が頻繁に航行するため危険も多く、事故も多く発生している。
古くから行なわれている一本釣り漁も、船や人がひしめき合っているので漁場が混雑するばかりでなく、漁獲量が年々減少し、漁業界は危機感を募らせている現況にある。
本発明は超低音波と超音波を合成編集したものをＣＤに録音し、この録音した音波を複数隻の潜水追い立て艇から発振させ、外海を回遊する魚群を包囲するようにして最終ポイントに追いつめ、待機している漁網船チームによって一挙に捕獲する音響式追い立て漁法を提供することを目的とする。
【０００４】
【課題を解決するための手段】
上記目的を達成するため本発明は、３Ｈｚ乃至１５０ｋＨｚの超低音波と、２０ｋ１Ｈｚ乃至１５０ｋＨｚの超音波の音域を合成して編集することによって不定リズム化し、この編集したものをＣＤに録音し、これをパワーアンプを介して水中に発振するスピーカー６と超音波発振器７を併用した機能を具備し、動力船２に曳行された潜水追い立て艇３複数隻を外海に横一直線に所定間隔をおいて配列させ、横一線を底辺とする三角形の頂点にあたる地点を最終ポイントとし、この最終ポイント付近に集魚音発振船１６と漁網船１７のチームを待機させた後、外海から内海の最終ポイントに向かって魚群を追い立て、最終ポイントの２Ｋｍ〜３ｋｍ沖合から最終ポイントを徐々に包囲するように動力船２の両端を先行させ、動力船全体を移動させながら包囲範囲を縮小し、最終的に円形状に包囲し、魚群が網漁に最適の深さに達したことを魚集音発振船１６がモニターで確認して漁網船チームに合図してから各漁網船１７が網を打って魚を捕獲する方法である。
【０００５】
【発明の実施の形態】
以下、本発明の実施の形態について説明する。
図１に示したように、沖合数Ｋｍ、水深１００ｍで岩礁のない海域に最終ポイント４を設定し、この最終ポイント４付近に漁集音発振船１６、複数枚のシート１５と漁集音発振船１６、漁網船１７複数隻のチームを配置し、この最終ポイントより数１０Ｋｍ乃至数１００Ｋｍの外海に、動力船２に曳行された３Ｈｚ乃至１５０ＫＨｚの超音波と、２０ＫＨｚ乃至１５０ＫＨｚの超音波の音域を合成して編集することによって不定リズム化し、この編集したものをＣＤに録音し、この録音をした超音波をパワーアンプを介して水中に発振するスピーカーと超音波発振器７を併用した機能を具備した潜水追い立て艇３を外海に横一線に所定間隔をおいて配列させた後、外海から内海の最終ポイント４に向かって潜水追い立て艇３から前記超音波を発生させながら魚群を陸地１方向へ追い立てるのであるが、その第一段階として潜水追い立て艇３を横一線に所定間隔をおいて配列させた後、外海から内海の最終ポイント４に向かって、動力船２に曳行された潜水追い立て艇３から超音波による大音響を発生させながら最終ポイント方向に移動する。
動力船２にはチーフ船が中央にいてレーダーを見ながら全体の動きを把握し、他の動力船からのテレビモニターや魚群の位置行動の情報を受け、各動力船に音響出力、走行、障害物等に関する指示、連絡をする。
第二段階として、動力船２の船団が最終ポイント４に近ずくにつれて所定間隔をおいた横一線の動力船２の両端から漸次進行を速め、全体が逆扇形状を形成しながら魚群の動きに合せて最終ポイント４を目指して進行する。
第三段階は最終ポイント４から２Ｋｍ〜３Ｋｍの地点に達したあたりから逆扇形状の動力船が最終ポイント４を囲むように進行し、最終的には円陣を形成し、徐々にその輪を縮めていく。
第四段階は最終ポイント４付近の水面に浮かせた複数枚のシート１５で陰を作り、魚集音発振船から漁集音を発振しながら魚群探知機のモニターで監視し、モニターによって網打ちチャンスを確認した時点で各漁網船１６に合図を送り、一斉に網を打つ。
第五段階では網を打つと同時に最終ポイント付近に浮設したシート１５と魚集音発振船１６を動力船２の円陣の外に退出させてから網揚げの段階に入る。
第六段階は網揚げで、網揚げの作業は現在行なわれている網揚げと同様であるが、巻き網の他に定置網や差し網に追い込むことも可能である。
本発明に使用される潜水追い立て艇３は動力船２に曳行されるもので、図２及び図３に示したように左右斜め下向きに水中スピーカー６が設けてあり、その後方に超音波発振器７が設けられている。
前方斜め下向きに水中ライト８、ＴＶカメラ９が設置されていおり、後部の左右側部に尾扇１０が設けられていて安定した航行ができるようになっている。
又、潜水追い立て艇３の底部には陸上運搬用のキャスター１１が取り付けられていて、艇体上部には完全に密封されるマンホール１２が設けられ、このマンホールは艇を造る際に使用したり、修理をする際の窓として使用するようになっているもので、内壁には温度差による結露防止のための防露材が張設されている。潜水追い立て艇３の先端部のワイヤロープ１８はステンレス金具を利用し、結合ピン１４を介して艇体に連結され、海上に浮遊する障害物を排除するようになっている。
【０００６】
【発明の効果】
本発明の音響式追い立て漁法を利用することによって外海から内海に大量の魚群を効率的に追い込むことはできるが、巻き網漁法と云っても半分以上の魚は網外に逃げてしまうのが常識であるが、このような逃げた魚によって近海の魚が増える効果がある。
又、従来外洋で行なわれている漁獲操業は大規模のものであったが、本発明の音響式追い立て漁法を利用すれば小規模であっても大規模漁業に比較して遜色のない成果をあげることができる。
【図面の簡単な説明】
【図１】本発明に使用する船等の配置状態を示す平面図である。
【図２】本発明に使用する潜水追い立て艇の側面図である。
【図３】本発明の潜水追い立て艇の平面図である。
【符号の説明】
１  陸地
２  動力船
３  潜水追い立て艇
４  最終ポイント
５  ケーブル
６  スピーカー
７  超音波発振器
８  ライト
９  ＴＶカメラ
１０  尾扇
１１  キャスター
１２  マンホール
１３  ステンレス金具
１４  接合ピン
１５  シート
１６  魚集音発振船
１７  漁網船
１８  ワイヤロープ
【図１】
0003799444.tif 000002
【図２】
0003799444.tif 000003
【図３】
0003799444.tif 000004